(57)【要約】【課題】従来のモータ構造は、後蓋をケース本体に確実に固定するために円弧壁の板厚を十分に確保する必要があり、後蓋の軽量化に制限があった。【解決手段】本発明によるモータ構造では、後蓋５の円弧壁５０に溝部５５が設けられており、この溝部５５には、円弧壁５０の先端側に位置するようにテーパ部５５ａが設けられている。ケース本体１の周壁１１にはネジ穴１１ｂが設けられており、このネジ穴１１ｂには止めネジからなるネジ体７が螺着されている。ネジ穴１１ｂに螺着されたネジ体７の先端部７ａがテーパ部５５ａに当接されることで、一端１ａから他端１ｂに向けて後蓋５がケース本体１に押し付けられる。【選択図】図１
2010183713.tif 000002
【特許請求の範囲】
【請求項１】
内側に輪状ステータ（２）及びロータ（３）を収納した円筒形状のケース本体（１）と、
前記ケース本体（１）の一端（１ａ）に設けられた開口部（１０）と、
前記開口部（１０）を覆うように前記ケース本体（１）に取付けられた後蓋（５）と、
前記後蓋（５）の端面（５ａ）から立設され、前記ケース本体（１）の内壁面（１１ａ）に沿って前記開口部（１０）に挿入された一対の円弧壁（５０）と、
各円弧壁（５０）の側面にそれぞれ設けられた溝部（５５）と、
各円弧壁（５０）の先端（５０ａ）側に位置するように各溝部（５５）にそれぞれ設けられテーパ部（５５ａ）と、
各溝部（５５）に対向するように前記ケース本体（１）の周壁（１１）に設けられたネジ穴（１１ｂ）と
を備え、
前記ネジ穴（１１ｂ）にネジ体（７）が螺着された際に前記ネジ体（７）の先端部（７ａ）が前記テーパ部（５５ａ）に当接されることによって、前記後蓋（５）が前記ケース本体（１）の前記一端（１ａ）から他端（１ｂ）に向けて前記ケース本体（１）に押し付けられることを特徴とするモータ構造。
【発明の詳細な説明】
【技術分野】
【０００１】
本発明は、モータ構造に関し、特に、ネジ体の先端部が円弧壁の溝部に設けられたテーパ部に当接されることによって、一端から他端に向けて後蓋がケース本体に押し付けられるようにすることで、後蓋をケース本体に確実に固定しつつ、円弧壁を薄くでき、後蓋の重量を軽減できるようにするための新規な改良に関するものである。
【背景技術】
【０００２】
従来用いられていたこの種のモータ構造としては、下記の特許文献１に記載されたものがある。図５は、従来のモータ構造の断面図である。図において、有底円筒形状のケース本体１の内側には、輪状ステータ２及びロータ３が収納されている。このケース本体１の一端１ａには、開口部１０が設けられており、ケース本体１には開口部１０を覆うように後蓋５が取付けられている。図５では１つのみを示しているが、後蓋５の端面５ａからは一対の円弧壁５０が立設されており、この円弧壁５０は、ケース本体１の内壁面１１ａに沿って前記開口部１０に挿入されている。
【０００３】
円弧壁５０には、円弧壁５０を貫通するネジ穴１００が設けられており、ケース本体１の周壁１１には、先細り状のネジ支持穴１１０が設けられている。ネジ穴１００にはネジ支持穴１１０に挿通された皿小ネジ１２０が螺着されており、ネジ支持穴１１０は皿小ネジ１２０のネジ頭１２０ａを支持している。すなわち、ネジ支持穴１１０に挿通された皿小ネジ１２０が円弧壁５０のネジ穴１００に螺着されることによって、後蓋５がケース本体１に固定されている。
【先行技術文献】
【特許文献】
【０００４】
【特許文献１】特開２００５−６３６１号公報
【発明の概要】
【発明が解決しようとする課題】
【０００５】
上記のような従来のモータ構造では、ネジ支持穴１１０に挿通された皿小ネジ１２０が円弧壁５０のネジ穴１００に螺着されることによって、後蓋５がケース本体１に固定されているので、後蓋５をケース本体１に確実に固定するために円弧壁５０の板厚を十分に確保する必要があり、後蓋５の軽量化に制限があった。
【０００６】
本発明は、上記のような課題を解決するためになされたものであり、その目的は、円弧壁を薄くでき、後蓋の重量を軽減できるモータ構造を提供することである。
【課題を解決するための手段】
【０００７】
本発明に係るモータ構造は、内側に輪状ステータ及びロータを収納した円筒形状のケース本体と、前記ケース本体の一端に設けられた開口部と、前記開口部を覆うように前記ケース本体に取付けられた後蓋と、前記後蓋の端面から立設され、前記ケース本体の内壁面に沿って前記開口部に挿入された一対の円弧壁と、各円弧壁の側面にそれぞれ設けられた溝部と、各円弧壁の先端側に位置するように各溝部にそれぞれ設けられテーパ部と、各溝部に対向するように前記ケース本体の周壁に設けられたネジ穴とを備え、前記ネジ穴にネジ体が螺着された際に前記ネジ体の先端部が前記テーパ部に当接されることによって、前記後蓋が前記ケース本体の前記一端から他端に向けて前記ケース本体に押し付けられる。
【発明の効果】
【０００８】
本発明のモータ構造によれば、ネジ体の先端部が円弧壁の溝部に設けられたテーパ部に当接されることによって、後蓋がケース本体の一端から他端に向けてケース本体に押し付けられるようにするので、円弧壁の板厚に関わらず後蓋をケース本体に確実に固定できる。すなわち、円弧壁を薄くでき、後蓋の重量を軽減できる。
【図面の簡単な説明】
【０００９】
【図１】本発明の実施の形態によるモータ構造の断面図である。
【図２】図１の後蓋の正面図である。
【図３】図２の線Ａ−Ａに沿う断面図である。
【図４】図３の円弧壁の周辺を拡大して示す断面図である。
【図５】従来のモータ構造の断面図である。
【発明を実施するための形態】
【００１０】
以下、本発明を実施するための最良の形態について、図面を参照して説明する。
実施の形態１．
図１は本発明の実施の形態によるモータ構造の断面図であり、図２は図１の後蓋５の正面図であり、図３は図２の線Ａ−Ａに沿う断面図であり、図４は図３の円弧壁５０の周辺を拡大して示す断面図である。なお、従来のモータ構造と同一又は同等部分については同一の符号を用いて説明する。図において、ケース本体１の内側には、輪状ステータ２及びロータ３が収納されている。具体的には、ケース本体１は、一端１ａに開口部１０が設けられた有底円筒形状に形成されており、円環状の周壁１１と他端１ｂに配置された前蓋部１２とから構成されている。輪状ステータ２は、ステータコア２０と、ステータコア２０に巻き付けられた巻線２１とから構成されており、ステータコア２０は周壁１１の内壁面１１ａに固定されている。ロータ３は、輪状ステータ２の内方に配置されており、回転軸４の外周に固定されている。前蓋部１２には、回転軸４の一端を軸支する第１軸受部１２ａが設けられている。
【００１１】
ケース本体１には、開口部１０を覆うように後蓋５が取付けられている。図２及び図３に示すように、後蓋５の端面５ａからは、一対の円弧壁５０と、これら円弧壁５０の内側に配置された円環壁５１とが立設されている。また、円環壁５１の内側には、回転軸４の他端を軸支する第２軸受部５２ａ（図１参照）が取付けられる段部５２が設けられている。
【００１２】
図２に示すように、円弧壁５０は互いに離間して配置されており、円弧壁５０間には、配線６（図１参照）が通される挿通孔５３が設けられている。各円弧壁５０には、円弧壁５０を貫通する１つの貫通孔５４がそれぞれ設けられており、各円弧壁５０の側面には、各円弧壁５０の周方向全体に渡って延在された溝部５５がそれぞれ設けられている。図４で拡大して示すように、溝部５５には、円弧壁５０の先端５０ａ側に位置するようにテーパ部５５ａが設けられている。テーパ部５５ａは、円弧壁５０の先端５０ａ側から基端５０ｂ側に向かうにつれて円弧壁５０の内方に向かうように傾斜されている。なお、図１では、上半分で溝部５５部分の後蓋５の断面を示し、下半分で挿通孔５３部分の後蓋５の断面を示している。
【００１３】
図１に戻り、ケース本体１の周壁１１には、円弧壁５０が開口部１０に挿入された際に各溝部５５に対向するようにネジ穴１１ｂが設けられており、このネジ穴１１ｂには止めネジからなるネジ体７が螺着されている。ネジ穴１１ｂに螺着されたネジ体７の先端部７ａは、テーパ部５５ａに当接されている。すなわち、円弧壁５０の内方へと進もうとするネジ体７の力は、テーパ部５５ａの傾斜面によって、ケース本体１の一端１ａから他端１ｂに向けて後蓋５をケース本体１に押し付ける力に変換される。これにより、円弧壁５０の板厚に関わらず後蓋５をケース本体１に確実に固定でき、従来構造（図５参照）に比べて、円弧壁５０を薄くでき、後蓋５の重量を軽減できる。
【符号の説明】
【００１４】
１  ケース本体
１０  開口部
１１  周壁
１１ａ  内壁面
１１ｂ  ネジ穴
２  輪状ステータ
３  ロータ
５  後蓋
５０  円弧壁
５５  溝部
５５ａ  テーパ部
７  ネジ体
【図１】
2010183713.tif 000003
【図２】
2010183713.tif 000004
【図３】
2010183713.tif 000005
【図４】
2010183713.tif 000006
【図５】
2010183713.tif 000007